【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
第１の篩台と第２の篩台とを含む複数の篩台と、
複数の篩台に空気を供給する圧縮装置と、
圧縮装置と複数の篩台との間に配置される一組の制御弁と、
複数の篩台に連絡されかつ複数の篩台から排出する酸素を貯蔵する貯蔵器と、
貯蔵器に連絡される供給弁と、
貯蔵器内の貯蔵器圧力を測定しかつ供給弁に沿う圧力降下を測定する単一又は複数の圧力センサと、
選択的に開弁と閉弁を行う制御弁に連結されかつ第１の篩台及び第２の篩台を交互に充填しかつ排気する制御装置とを備え、
制御装置は、貯蔵器の圧力と供給弁に沿う圧力降下を監視する圧力センサに更に連結され、
制御装置は、予め決められたパルス持続時間の間に選択的に開弁して貯蔵器から使用者にパルス状の気体を供給する供給弁に更に連結され、
制御装置は、貯蔵器圧力及び供給弁に沿う圧力降下に少なくとも部分的に基づいて、パルス持続時間を調整することを特徴とする携帯用酸素濃縮装置。
【請求項２】
使用者への供給前に貯蔵器内の酸素純度を測定する酸素センサを更に備え、
制御装置は、酸素センサに連結されかつ少なくとも部分的に酸素純度に基づいて、パルス持続時間を更に調整する請求項１に記載の携帯用酸素濃縮装置。
【請求項３】
制御装置は、予め決められた閾値以下への酸素純度の減少に応じて、パルス持続時間を増加する請求項２に記載の携帯用酸素濃縮装置。
【請求項４】
制御装置は、選択的に供給弁を開弁して、貯蔵器から使用者に気体を供給し、供給弁の閉弁時にのみ酸素純度を更に測定する請求項２に記載の携帯用酸素濃縮装置。
【請求項５】
第１の篩台の酸素入口／出口端部と第２の篩台の酸素入口／出口端部との間を連続的に連絡して、充填している篩台から排気している篩台に酸素を流動させる排気オリフィスを更に備える請求項１に記載の携帯用酸素濃縮装置。
【請求項６】
制御装置は、
選択的に開弁及び閉弁して、第１の篩台と第２の篩台とを同時に充填し、
充填される篩台から排気される篩台に排気オリフィスを通じて気体を搬送し、
第１の篩台と第２の篩台とを同時に充填することにより、第１の篩台と第２の篩台とを交互に充填しかつ排気する請求項５に記載の携帯用酸素濃縮装置。
【請求項７】
制御装置は、貯蔵器圧力の増加に応じて、第１の篩台と第２の篩台とを交互に充填しかつ排気する充填／排気持続時間を短縮し、貯蔵器圧力の低下に応じて、充填／排気持続時間を延長する請求項１に記載の携帯用酸素濃縮装置。
【請求項８】
第１の端部と第２の端部とを各々有する第１の篩台及び第２の篩台と、第１の篩台及び第２の篩台の第２の端部に連絡する貯蔵器とを備える携帯用酸素濃縮装置を準備する過程と、
充填／排気持続時間中に周期的に第２の篩台を排気しながら第１の篩台に充填すると共に、周期的に第１の篩台を排気しながら第２の篩台に充填することにより、貯蔵器の充填間に第１の篩台と第２の篩台から貯蔵器に酸素を搬送する過程と、
貯蔵器内の圧力を監視する過程と、
少なくとも部分的に貯蔵器内の圧力に基づいて、充填／排気持続時間を調整する過程と、
パルス持続時間を有するパルス状の酸素を貯蔵器から供給する過程と、
少なくとも部分的に貯蔵器内の圧力に基づいて、パルス持続時間を調整する過程とを含むことを特徴とする酸素濃縮方法。
【請求項９】
貯蔵器から供給される酸素の背圧を測定する過程と、
貯蔵器から供給される酸素の背圧に少なくとも部分的に基づいて、パルス持続時間を更に調整する過程とを更に含む請求項８に記載の酸素濃縮方法。
【請求項１０】
第１の篩台及び第２の篩台を含み、第１の篩台及び第２の篩台の各々は、空気入口／出口端部及び酸素入口／出口端部を有し、空気から窒素を吸着する複数の篩台と、
複数の篩台の酸素入口／出口端部に連絡され、複数の篩台の酸素入口／出口端部から排出される酸素を貯蔵する貯蔵器と、
単一又は複数の所望圧力で複数の篩台の空気入口／出口端部に空気を供給する圧縮装置と、
複数の篩台の空気入口／出口端部と圧縮装置との間に配置される複数の弁の一組と、
貯蔵器内の貯蔵器圧力を測定する圧力センサと、
複数の弁に連結されて選択的に弁を開閉して、第２の篩台を排気しながら第１の篩台を充填し、第１の篩台を排気しながら第２の篩台を充填する動作を交互に行う制御装置とを備え、
制御装置は、圧力センサに更に連結されかつ貯蔵器圧力を監視し、
制御装置は、少なくとも部分的に貯蔵器圧力に基づいて、第１の篩台と第２の篩台とを交互に排気する充填／排気持続時間を調整し、
制御装置は、酸素センサに連結されかつ少なくとも部分的に酸素純度に基づいて、充填／排気持続時間を調整することを特徴とする携帯用酸素濃縮装置。
【請求項１１】
第１の篩台及び第２の篩台の酸素入口／出口端部の間を連続的に連絡し、充填されている篩台から排気されている篩台に酸素を流動させる排気オリフィスを更に備える請求項１０に記載の携帯用酸素濃縮装置。
【請求項１２】
制御装置は、
選択的に弁を開閉して、第１の篩台と第２の篩台とを同時に充填し、
ほぼ充填された篩台からほぼ排気された篩台に気体を排気オリフィスを通じて搬送し、
第１の篩台と第２の篩台とを同時に充填することにより、第２の篩台を排気しながら第１の篩台を充填すると共に、第１の篩台を排気しながら第２の篩台を充填する請求項１１に記載の携帯用酸素濃縮装置。
【請求項１３】
制御装置は、貯蔵器圧力の増加に応じて、充填／排気持続時間を短縮し、貯蔵器圧力の減少に応じて、充填／排気持続時間を延長する請求項１０に記載の携帯用酸素濃縮装置。
【請求項１４】
制御装置は、酸素純度の低下に応じて、充填／排気持続時間を延長する請求項１０に記載の携帯用酸素濃縮装置。
【請求項１５】
貯蔵器に連絡されかつ制御装置に連結される供給弁を更に備え、
制御装置は、供給弁を選択的に開弁して、貯蔵器から使用者に気体を供給し、
制御装置は、供給弁を閉弁時にのみ酸素純度を検出する請求項１０に記載の携帯用酸素濃縮装置。
【請求項１６】
第１の端部及び第２の端部を各々有する第１の篩台及び第２の篩台と、各篩台の第２の端部に連絡する貯蔵器とを備える携帯用酸素濃縮装置を準備する過程と、
充填／排気持続時間中に周期的に第２の篩台を排気しながら第１の篩台に充填すると共に、周期的に第１の篩台を排気しながら第２の篩台に充填することにより、貯蔵器の充填間に第１の篩台と第２の篩台から貯蔵器に酸素を搬送する過程と、
貯蔵器内の圧力を監視する過程と、
少なくとも部分的に貯蔵器内の圧力に基づいて、充填／排気持続時間を調整する過程と、
貯蔵器から酸素を供給する過程と、
貯蔵器から供給される酸素の純度を監視する過程と、
少なくとも部分的に酸素純度に基づいて、充填／排気持続時間を調整する過程とを含むことを特徴とする酸素濃縮方法。
【請求項１７】
パルス持続時間を有するパルス状の酸素を貯蔵器から供給する請求項１６に記載の酸素濃縮方法。
【請求項１８】
貯蔵器から供給される酸素の背圧を測定する過程と、
貯蔵器から供給される酸素の背圧に少なくとも部分的に基づいて、パルス持続時間を調整する過程とを更に含む請求項１７に記載の酸素濃縮方法。
【請求項１９】
パルス持続時間を有するパルス状の酸素を貯蔵器から供給する過程と、
少なくとも部分的に貯蔵器内の圧力に基づいて、パルス持続時間を調整する過程とを更に含む請求項１６に記載の酸素濃縮方法。
【請求項２０】
貯蔵器から供給される酸素の背圧を測定する過程と、
貯蔵器から供給される酸素の背圧に少なくとも部分的に基づいて、パルス持続時間を更に調整する過程とを更に含む請求項１９に記載の酸素濃縮方法。
【請求項２１】
パルス投与量を設定する入力装置と、
空気入口／出口端部及び酸素入口／出口端部を有する第１の篩台及び第２の篩台を備えかつ空気から窒素を吸着する複数の篩台と、
複数の篩台の酸素入口／出口端部に連絡されかつ複数の篩台からの酸素を貯蔵する貯蔵器と、
複数の篩台の空気入口／出口端部に単一又は複数の所望の圧力で空気を供給する圧縮装置と、
複数の篩台の空気入口／出口端部と圧縮装置との間に配置される複数の弁の一組と、
使用者の呼吸速度を検出する呼吸速度センサと、
複数の弁に連結されて選択的に弁を開閉して、第２の篩台を排気しながら第１の篩台を充填し、第１の篩台を排気しながら第２の篩台を充填する動作を交互に行う制御装置とを備え、
制御装置は、パルス投与量及び呼吸速度センサに基づいて、少なくとも部分的に圧縮装置の動作速度を制御することを特徴とする携帯用酸素濃縮装置。
【請求項２２】
制御装置は、パルス投与量及び呼吸速度の結果により、使用者の要求を決定し、
制御装置は、患者の要求に基づいて、目標貯蔵器圧力を決定する請求項２１に記載の携帯用酸素濃縮装置。
【請求項２３】
貯蔵器内の貯蔵器圧力を測定する圧力センサを更に備え、
制御装置は、貯蔵器圧力と目標貯蔵器圧力との比較に基づいて、圧縮装置の動作速度を制御する請求項２２に記載の携帯用酸素濃縮装置。
【請求項２４】
呼吸速度センサは、貯蔵器の出口に作動連結される又は貯蔵器の出口に配置される圧力センサ又は流量センサである請求項２１に記載の携帯用酸素濃縮装置。
【請求項２５】
酸素センサを更に備え、
制御装置は、少なくとも部分的に酸素センサの出力に基づいて、（ａ）第１の篩台と第２の篩台とを交互に排気する充填／排気持続時間、（ｂ）圧縮装置の動作速度、又は（ａ）及び（ｂ）の両方を制御する請求項２１に記載の携帯用酸素濃縮装置。
【請求項２６】
制御装置は、圧縮装置に付与される信号のパルス幅変調により、圧縮装置の動作速度を制御する請求項２１に記載の携帯用酸素濃縮装置。
【請求項２７】
制御装置は、少なくとも部分的に貯蔵器圧力に基づいて、第１の篩台と第２の篩台とを交互に排気する充填／排気持続時間を制御する請求項２１に記載の携帯用酸素濃縮装置。
【請求項２８】
制御装置は、貯蔵器圧力の増加に応じて充填／排気持続時間を短縮し、貯蔵器圧力の減少に応じて充填／排気持続時間を延長する請求項２７に記載の携帯用酸素濃縮装置。
【請求項２９】
第１の端部及び第２の端部を各々有する第１の篩台及び第２の篩台と、第１の篩台及び第２の篩台の第１の端部に作動連結する圧縮装置と、圧縮装置と第１の篩台及び第２の篩台の第１の端部との間に配置された複数の弁の一組と、第１の篩台及び第２の篩台の第２の端部に作動連絡する貯蔵器とを備える携帯用装置を準備する過程と、
充填／排気持続時間中に周期的に第２の篩台を排気しながら第１の篩台に充填すると共に、周期的に第１の篩台を排気しながら第２の篩台に充填することにより、貯蔵器の充填間に第１の篩台と第２の篩台から貯蔵器に酸素を搬送する過程と、
使用者に供給する酸素にパルス投与量を設定する過程と、
使用者の呼吸速度を監視する過程と、
パルス投与量及び呼吸速度センサに基づいて、少なくとも部分的に圧縮装置の動作速度を制御する過程とを含むことを特徴とする酸素濃縮方法。
【請求項３０】
投与量及び呼吸速度の結果により、患者の要求を決定する過程と、
患者の要求に基づいて、目標貯蔵器圧力を決定する過程とを更に含む請求項２９に記載の酸素濃縮方法。
【請求項３１】
貯蔵器内の貯蔵器圧力を監視する過程と、
貯蔵器圧力と目標貯蔵器圧力との比較に基づいて、圧縮装置の動作速度を制御する過程とを更に含む請求項３０に記載の酸素濃縮方法。
【請求項３２】
呼吸速度センサを監視する過程は、貯蔵器内又は貯蔵器の出口の気体の圧力又は流量を監視することにより、達成される請求項２９に記載の酸素濃縮方法。
【請求項３３】
第１の篩台及び第２の篩台から酸素センサに搬送される酸素の酸素純度を監視する過程と、
少なくとも部分的に酸素純度からの出力に基づいて、（ａ）圧縮装置の動作速度、（ｂ）第１の篩台と第２の篩台とを交互に排気する充填／排気持続時間、又は（ａ）及び（ｂ）の両方を制御する過程とを更に含む請求項２９に記載の酸素濃縮方法。
【請求項３４】
圧縮装置に付与される信号のパルス幅変調により、圧縮装置の動作速度を制御する請求項２９に記載の酸素濃縮方法。
【請求項３５】
貯蔵器内の貯蔵器圧力を監視する過程と、
少なくとも部分的に貯蔵器圧力に基づいて、第１の篩台と第２の篩台とを交互に排気する充填／排気持続時間を制御する過程とを更に含む請求項２９に記載の酸素濃縮方法。
【請求項３６】
少なくとも部分的に貯蔵器圧力に基づいて、第１の篩台と第２の篩台とを交互に排気する充填／排気持続時間を制御する過程は、
（ａ）貯蔵器圧力の増加に応じて充填／排気持続時間を短縮する過程、又は（ｂ）貯蔵器圧力の減少に応じて充填／排気持続時間を延長する過程を含む請求項３５に記載の酸素濃縮方法。
【手続補正２】
【補正対象書類名】明細書
【補正対象項目名】０００６
【補正方法】変更
【補正の内容】
【０００６】
本発明の一実施の形態では、空気入口／出口端部及び酸素入口／出口端部を有する複数の篩台（「分子篩台」、「分篩台」又は「濾過台」ともいう）と、複数の篩台の複数の酸素入口／出口端部の間を連続的に連絡する排気オリフィス（オリフィス）と、複数の篩台の酸素入口／出口端部に連絡する貯蔵器（貯蔵部）と、複数の篩台の空気入口／出口端部に空気を供給する圧縮装置と、圧縮装置と篩台の空気入口／出口端部との間に配置される複数の弁の一組と、複数の弁に連結されかつ選択的に開弁し閉弁して、複数の篩台を交互に充填及び排気する制御装置とを備え、充填されている篩台から排気されている篩台に排気オリフィスを通じて酸素を搬送し、排気される篩台からの窒素の排気を促進する携帯用酸素濃縮装置を提供する。
【手続補正３】
【補正対象書類名】明細書
【補正対象項目名】０００７
【補正方法】変更
【補正の内容】
【０００７】
他の実施の形態では、第１の端部及び第２の端部を有する複数の篩台と、複数の篩台の第２の端部に連絡する貯蔵器と、圧縮装置と、圧縮装置と複数の篩台の第１の端部との間に配置される複数の弁の一組とを備える携帯用装置を使用して、酸素を濃縮する過程を含む方法を提供する。この方法は、選択的に複数の弁を開弁及び閉弁して、複数の篩台を交互に充填及び排気し、充填されている篩台から排気されている篩台に排気オリフィスを通じて酸素を搬送し、排気される篩台からの窒素の排気を促進する過程を含む。
【手続補正４】
【補正対象書類名】明細書
【補正対象項目名】０００８
【補正方法】変更
【補正の内容】
【０００８】
更に別の実施の形態では、第１の端部及び第２の端部を各々有する第１の篩台及び第２の篩台と、各篩台の第２の端部に連絡する貯蔵器と、圧縮装置と、圧縮装置と複数の篩台の第１の端部との間に配置される複数の弁の一組とを備える携帯用装置を使用して、酸素を濃縮する過程を含む方法を提供する。この方法は、複数の弁の第１の群を開弁して、第１の篩台を充填し第１の篩台から貯蔵器内に酸素を排出しかつ第２の篩台を排気する過程と、複数の弁の第２の群を開弁し、第２の篩台を充填して第２の篩台から貯蔵器内に酸素を排出しかつ第１の篩台を排気する過程と、複数の弁の第１の群を開弁する過程と第２の群を開弁する過程との間で複数の弁の第３の群を開弁して、第１及び第２の篩台に同時に空気を供給する過程とを含んでもよい。第３の群の弁は、設けられる弁の構造及び／又は数に応じて、第１の群及び／又は第２の群の単一又は複数の弁を選択的に含んでもよい。
【手続補正５】
【補正対象書類名】明細書
【補正対象項目名】０００９
【補正方法】変更
【補正の内容】
【０００９】
更に別の実施の形態では、空気入口／出口端部及び酸素入口／出口端部を各々有する複数の篩台と、複数の篩台の酸素入口／出口端部に連絡されて、複数の篩台から排出される酸素を貯蔵する貯蔵器と、貯蔵器内の貯蔵器圧力を測定する圧力センサと、複数の篩台の空気入口／出口端部に空気を供給する圧縮装置と、圧縮装置と複数の篩台の空気入口／出口端部との間に配置される複数の弁の一組と、複数の弁に連結されかつ選択的に開弁し閉弁して、第２の篩台を排気しながら第１の篩台を充填し、第１の篩台を排気しながら第２の篩台を充填し、第１の篩台と第２の篩台を交互に充填する制御装置とを備える携帯用酸素濃縮装置を提供する。制御装置は、圧力センサに連結されて貯蔵器圧力を監視し、貯蔵器圧力に基づいて、第１の篩台と第２の篩台との排気持続時間を調整する。
【手続補正６】
【補正対象書類名】明細書
【補正対象項目名】００１０
【補正方法】変更
【補正の内容】
【００１０】
更に別の実施の形態では、空気入口／出口端部及び酸素入口／出口端部を有する複数の篩台と、複数の篩台の酸素入口／出口端部に連絡される貯蔵器と、複数の篩台の空気入口／出口端部に空気を供給する圧縮装置と、内部に複数の通路を形成して、圧縮装置と篩台の空気入口／出口端部とを連絡する空気多岐管と、空気多岐管に連結される複数の弁の一組と、複数の弁に連結されかつ選択的に開弁及び閉弁し、空気多岐管内の通路を通じて複数の篩台から加圧された窒素を排気することにより複数の篩台の充填と排気とを交互に行う制御装置とを備える携帯用酸素濃縮装置を提供する。
【手続補正７】
【補正対象書類名】明細書
【補正対象項目名】００１１
【補正方法】変更
【補正の内容】
【００１１】
更に別の実施の形態では、空気入口／出口端部及び酸素入口／出口端部を有する複数の篩台と、複数の篩台の酸素入口／出口端部に連絡される貯蔵器と、複数の篩台の空気入口／出口端部に空気を供給する圧縮装置と、複数の篩台の空気入口／出口端部に取り付けられる空気多岐管と、圧縮装置と複数の篩台の空気入口／出口端部とを連絡する複数の通路を有する空気多岐管と、空気多岐管に連結される複数の弁の一組と、複数の弁に連結されかつ選択的に開弁及び閉弁し、空気多岐管内の通路を通じて、複数の篩台内に圧縮空気を供給し、空気多岐管内の通路を通じて、複数の篩台から加圧された窒素を排気して、複数の篩台の充填と排気とを交互に行う制御装置と、複数の篩台の酸素入口／出口端部に取り付けられる酸素供給多岐管とを備え、酸素供給多岐管は、貯蔵器に連絡されかつ貯蔵器から使用者に酸素を供給する少なくとも１つの通路を有する携帯用酸素濃縮装置を提供する。
【手続補正８】
【補正対象書類名】明細書
【補正対象項目名】００１３
【補正方法】変更
【補正の内容】
【００１３】
更に別の実施の形態では、空気入口／出口端部及び酸素入口／出口端部を有する一対の篩台と、一対の篩台の酸素入口／出口端部に連絡されかつ一対の篩台の間で少なくとも部分的に入れ子状に配置される貯蔵器と、一対の篩台の空気入口／出口端部に空気を供給する圧縮装置と、一対の篩台の空気入口／出口端部と圧縮装置とを連絡する複数の通路を形成する空気多岐管とを備える携帯用酸素濃縮装置を提供する。
【手続補正９】
【補正対象書類名】明細書
【補正対象項目名】００１４
【補正方法】変更
【補正の内容】
【００１４】
更に別の実施の形態では、第１の篩台及び第２の篩台を含む複数の篩台と、複数の篩台に空気を供給する圧縮装置と、圧縮装置と複数の篩台との間に配置される一組の調節弁と、複数の篩台に連絡されかつ複数の篩台から排出される酸素を貯蔵する貯蔵器とを備える携帯用酸素濃縮装置を提供する。第１の圧力センサにより、貯蔵器内の貯蔵器圧力を測定してもよく、供給弁を貯蔵器に連絡してもよく、第２の圧力センサにより、供給弁に沿う圧力降下を測定してもよい。制御弁に連結される制御装置により、制御弁を選択的に開弁及び閉弁して、第１の篩台と第２の篩台とを交互に充填しかつ排気することができ、第１及び第２の圧力センサに連結される制御装置により、予め決められたパルス持続時間の間に選択的に供給弁を開弁して、貯蔵器から使用者にパルス状の気体を供給することができる。貯蔵器圧力及び供給弁に沿う圧力降下の少なくとも一部に基づいて、制御装置は、パルス持続時間を調整する。
【手続補正１０】
【補正対象書類名】明細書
【補正対象項目名】００６７
【補正方法】変更
【補正の内容】
【００６７】
図２に示す実施の形態では、単一又は複数の酸素供給通路108,109を少なくとも部分的に形成する多岐管基盤（多岐管基礎部）104と、酸素供給通路108,109を更に形成する多岐管蓋106とが酸素供給多岐管102に設けられる。多岐管基盤104内に互いに隣接して配置される酸素供給通路108,109は、他の構成要素に連絡されて携帯用酸素濃縮装置10の使用者に酸素を供給する複数の開口部126〜138を備えるが、以下更に説明する。単一又は複数の電池開口部140及び／又は電池開口部140にモールド成形又は他の方法で形成される界面体窓部142が多岐管基盤104に設けられる。
【手続補正１１】
【補正対象書類名】明細書
【補正対象項目名】０１６７
【補正方法】変更
【補正の内容】
【０１６７】
実施の形態を図示して本明細書中に本発明を詳記したが、本発明は、更に種々の変更及び他の形状が可能である。しかしながら、本発明は、開示した特定の形状又は方法に限定されず、特許請求の範囲内に該当すると共に、特許請求の範囲と同趣旨の変更態様並びに同等の装置を包含することは、理解すべきである。
本発明の実施の態様による携帯用酸素濃縮装置は、空気入口／出口端部及び酸素入口／出口端部を有しかつ篩台に供給される空気から窒素を吸着する複数の篩台12A,12Bと、複数の篩台12A,12Bの酸素入口／出口端部に連絡されかつ複数の篩台12A,12Bの酸素入口／出口端部から排出される酸素を貯蔵する貯蔵器18と、複数の篩台12A,12Bの空気入口／出口端部に空気を供給する圧縮装置14と、圧縮装置14及び複数の篩台12A,12Bの空気入口／出口端部に連絡される複数の通路62〜68を内部に形成する空気多岐管16と、空気多岐管16に連結される複数の弁20A,20Bの一組と、複数の弁20A,20Bに連結される制御装置22とを備え、携帯用酸素濃縮装置のハウジング48の外壁を形成する空気多岐管16に圧縮装置14を直接取り付け、制御装置22は、複数の弁20A,20Bを選択的に開閉することにより、空気多岐管16内の通路62〜68を通じて圧縮空気を複数の篩台12A,12Bに供給することにより、複数の篩台12A,12Bに加圧された空気を充填しかつ酸素入口／出口端部から貯蔵器18内に酸素を排出すると共に、空気多岐管16内の通路62〜68を通じて複数の篩台12A,12Bから加圧された窒素を排気することにより、複数の篩台12A,12Bから窒素を排気し、空気の充填と窒素の排気とを交互に行う。空気多岐管16は、内部に複数の溝を形成する多岐管基盤58と、複数の通路62〜68を更に形成する溝を実質的に包囲する多岐管蓋60とを備える。複数の弁20A,20Bの一組は、空気多岐管16に作動連結される複数の弁20A,20Bを備え、空気多岐管16に各弁20A,20Bを連絡して、空気多岐管16内の各通路62〜68の間の気体流の移動を可能にする又は防止する。圧縮装置14は、周期的に圧縮空気を発生する複数の頭部と、空気多岐管16内の各通路62〜68に連絡する複数の頭部の出口とを備える。空気多岐管16は、複数の篩台12A,12Bの空気入口／出口端部を接続する接続器を備え、複数の篩台12A,12Bの空気入口／出口端部を空気多岐管16内の各通路62〜68に直接連絡する。空気多岐管16は、複数の篩台12A,12Bの空気入口／出口端部を収容する形状を有する環状凹部を備える。複数の篩台12A,12Bの空気入口／出口端部を空気多岐管16に接着する。空気多岐管16に貯蔵器18を接着する。複数の篩台12A,12Bの酸素入口／出口端部に作動連結されて、複数の篩台12A,12Bの酸素入口／出口端部を実質的に包囲する蓋80を更に備え、蓋80は、複数の篩台12A,12Bと貯蔵器18との間を連絡する複数の開口部72〜79,86〜90を有する。貯蔵器18内の酸素の複数の篩台12A,12B内への流動を阻止する逆止弁110を更に備える。複数の篩台12A,12Bの酸素入口／出口端部に蓋80を接着する。空気多岐管16は、内部に複数の通路62〜68を有するほぼ平坦な割面を備える。空気多岐管16は、一体成形樹脂要素を有する。複数の篩台12A,12Bの酸素入口／出口端部間を実質的に連続的に連絡する排気オリフィス81を更に備え、複数の篩台12A,12B間に予め決められた容量の酸素流を供給する大きさに排気オリフィス81を形成する。ハウジング48を実質的に包囲するケースを更に備える。空気多岐管16に複数の弁20A,20Bの一組を直接取り付ける。
本発明の実施の態様による携帯用酸素濃縮装置は、空気入口／出口端部及び酸素入口／出口端部を有しかつ供給される空気から窒素を吸着する複数の篩台12A,12Bと、複数の篩台12A,12Bの酸素入口／出口端部に連絡されかつ複数の篩台12A,12Bの酸素入口／出口端部から排出される酸素を貯蔵する貯蔵器18と、複数の篩台の空気入口／出口端部に空気を供給する圧縮装置14と、複数の篩台12A,12Bの空気入口／出口端部に取り付けられかつ圧縮装置14及び複数の篩台12A,12Bの空気入口／出口端部に連絡する複数の通路62〜68を内部に有する空気多岐管16と、空気多岐管16に作動連結する複数の弁20A,20Bの一組と、複数の弁20A,20Bに連結される制御装置22と、複数の篩台12A,12Bの酸素入口／出口端部に作動連結される酸素供給多岐管102とを備え、携帯用酸素濃縮装置のハウジング48の外壁を形成する空気多岐管16に圧縮装置14を直接取り付け、制御装置22は、複数の弁20A,20Bを選択的に開閉することにより、空気多岐管16内の通路62〜68を通じて複数の篩台12A,12B内に圧縮空気を供給して、複数の篩台12A,12Bに空気を充填し、酸素入口／出口端部から貯蔵器18に酸素を搬送して、空気多岐管16内の通路62〜68を通じて複数の篩台12A,12Bから加圧された窒素を排気することにより、篩台12A,12Bから窒素を排気し、空気の充填と窒素の排気を交互に行い、酸素供給多岐管102は、貯蔵器18に連絡されかつ貯蔵器18から使用者に酸素を供給する通路62〜68を内部に有する。空気多岐管16と酸素供給多岐管102との間で延伸する側壁59,159を更に備え、複数の篩台、空気多岐管16、酸素供給多岐管102及び側壁59,159により、携帯用酸素濃縮装置の構造フレームを構成する。空気多岐管16と酸素供給多岐管102とを作動連結する貯蔵器18は、更に構造フレームとなる。構造フレームは、少なくとも１つの開放側を有する。構造フレームを実質的に包囲するケースを更に備える。樹脂材料により空気多岐管16及び酸素供給多岐管102を形成する。少なくとも１つの貯蔵器18は、複数の篩台12A,12B間で少なくとも部分的に入れ子状に配置される貯蔵器18を有する。複数の篩台12A,12B間で少なくとも部分的に入れ子状に配置された貯蔵器18は、複数の篩台12A,12Bの外壁に少なくとも部分的に形状が一致するほぼ砂時計形状を有する。酸素供給多岐管102に作動連結されかつ酸素供給多岐管102内の通路62〜68に連絡する酸素センサ118を更に備える。酸素供給多岐管102に作動連結されかつ酸素供給多岐管102内の通路62〜68に連絡する供給弁116を更に備える。酸素供給多岐管102に作動連結されかつ酸素供給多岐管102内の通路62〜68に連絡する圧力センサ114を更に備える。ハウジング48を実質的に包囲するケースを更に備える。空気多岐管16に圧縮装置14を直接取り付ける。
本発明の実施の態様による携帯用酸素濃縮装置は、空気入口／出口端部及び酸素入口／出口端部を有する一対の篩台12A,12Bと、一対の篩台12A,12Bの酸素入口／出口端部に連絡されて一対の篩台間に少なくとも部分的に入れ子状に配置される貯蔵器18と、一対の篩台12A,12Bの空気入口／出口端部に空気を供給する圧縮装置14と、複数の通路62〜68を内部に形成しかつ圧縮装置14と篩台12A,12Bの空気入口／出口端部とを連絡する空気多岐管16と、空気多岐管16に連結する複数の弁20A,20Bの一組と、複数の弁20A,20Bに連結されかつ複数の弁20A,20Bを選択的に開閉し、一対の篩台12A,12Bを交互に充填及び排気して、貯蔵器18に濃縮された酸素を供給する制御装置22とを備え、携帯用酸素濃縮装置のハウジング48の外壁を形成する空気多岐管16に圧縮装置14を直接取り付ける。貯蔵器18は、一対の篩台12A,12Bの外壁に少なくとも部分的に一致するほぼ砂時計形状を有する。ハウジング48を実質的に包囲するケースを更に備える。空気多岐管16に圧縮装置14を直接取り付ける。各篩台12A,12Bが空気入口／出口端部及び酸素入口／出口端部を有しかつ空気から窒素を吸着する複数の篩台12A,12Bと、複数の篩台12A,12Bの酸素入口／出口端部に流体連絡されかつ複数の篩台12A,12Bからの酸素を貯蔵する貯蔵器18と、複数の篩台12A,12Bの空気入口／出口端部に空気を供給する圧縮装置14と、空気多岐管16に直接取り付けられる圧縮装置14及び複数の篩台12A,12Bの空気入口／出口端部に連絡される複数の通路62〜68を内部に形成する空気多岐管16と、空気多岐管16に連結される複数の弁20A,20Bの一組と、複数の弁20A,20Bに連結される制御装置22とを備え、制御装置22は、複数の弁20A,20Bを選択的に開閉することにより、空気多岐管16内の通路62〜68を通じて圧縮空気を複数の篩台に供給することにより、篩台に空気を充填しかつ酸素入口／出口端部から貯蔵器18内に酸素を排出すると共に、空気多岐管16内の通路62〜68を通じて複数の篩台12A,12Bから加圧された窒素を排気することにより、複数の篩台12A,12Bから窒素を排気し、空気の充填と窒素の排気とを交互に行う。篩台、貯蔵器18、圧縮装置14、空気多岐管16、弁20A,20B及び制御装置22を実質的に包囲するケースを更に備える。空気多岐管16に複数の弁20A,20Bの一組を直接取り付ける。
本発明の実施の態様による携帯用酸素濃縮装置は、空気入口／出口端部及び酸素入口／出口端部を各々有しかつ空気から窒素を吸着する複数の篩台12A,12Bと、複数の篩台12A,12Bの一対の篩台12A,12Bの酸素入口／出口端部の間を連続的に連絡する排気オリフィス81と、複数の篩台12A,12Bの酸素入口／出口端部に連絡されかつ複数の篩台12A,12Bの酸素入口／出口端部から排出される酸素を貯蔵する少なくとも１つの貯蔵器18と、複数の篩台12A,12Bの空気入口／出口端部に単一又は複数の所望の圧力で空気を供給する圧縮装置14と、圧縮装置14と複数の篩台12A,12Bの空気入口／出口端部との間に配置される複数の弁20A,20Bの一組と、複数の弁20A,20Bに連結される制御装置22と、複数の篩台12A,12Bの空気入口／出口端部に連絡される排気通路62〜68とを備え、制御装置22は、複数の弁20A,20Bを選択的に開閉することにより、空気入口／出口端部を通じて複数の篩台12A,12Bに圧縮空気を供給して複数の篩台12A,12Bを空気で充填し、酸素入口／出口端部から貯蔵器18に酸素を排出すると共に、空気入口／出口端部を通じて複数の篩台12A,12Bから加圧された窒素を排気して、篩台12A,12Bへの空気の充填と篩台12A,12Bからの窒素の排気とを交互に行い、空気を充填する篩台12A,12Bから窒素を排気する篩台12A,12Bに排気オリフィス81を通じて酸素を搬送して、排気される篩台12A,12Bからの窒素の排出を促進し、排気通路62〜68は、複数の篩台12A,12Bから排気される窒素流を供給し、窒素流が制御装置22に向かって又は制御装置22を横切り制御装置22を冷却する。複数の篩台12A,12Bと貯蔵器18との間に配置されかつ貯蔵器18からの複数の篩台12A,12Bへの酸素の流動を阻止する単一又は複数の逆止弁110を更に備える。複数の篩台12A,12Bの空気入口／出口端部と圧縮装置14との間を連絡する複数の通路62〜68を内部に有する空気多岐管16と、空気多岐管16に連結される複数の弁20A,20Bは、選択的に通路62〜68を開閉する。複数の篩台12A,12Bは、第１の篩台12Aと、第２の篩台12Bとを有し、制御装置22は、複数の弁20A,20Bの第１の群を周期的に開弁して、第１の篩台12Aを充填しかつ第２の篩台12Bを排気すると共に、複数の弁20A,20Bの第１の群を周期的に開放して、第２の篩台12Bを充填しかつ第１の篩台12Aを排気する。制御装置22は、複数の弁20A,20Bの第３の群を開弁して、複数の弁20A,20Bの第１の群及び第２の群を開弁しながら、第１の篩台12Aと第２の篩台12Bとを充填する。制御装置22は、第１の時間及び第２の時間中に複数の弁20A,20Bの第１の群及び第２の群を開弁し、第１の時間及び第２の時間より短い第３の時間中に複数の弁20A,20Bの第３の群を開弁する。貯蔵器18に連絡される供給路と、供給路に連絡される供給弁116とを更に備え、供給弁116に連結される制御装置22は、選択的に供給路を開閉して、貯蔵器18から使用者に酸素を供給する。吸入路に連絡されて使用者の吸気を検出する圧力センサ114を更に備え、圧力センサ114に連結される制御装置22は、使用者の吸気に応じて、供給弁116を開弁し、貯蔵器18から使用者にパルス状の酸素を供給する。
本発明の実施の態様による酸素濃縮方法は、第１の端部及び第２の端部を含む複数の篩台12A,12Bと、複数の篩台12A,12Bの第２の端部に連絡される貯蔵器18と、圧縮装置14と、圧縮装置14と複数の篩台12A,12Bの第１の端部との間に配置される複数の弁20A,20Bの一組と、複数の弁20A,20Bの動作を制御する制御電子装置とを備える携帯用装置を準備する過程と、複数の弁20A,20Bを選択的に開閉することにより、第１の端部を通じて複数の篩台12A,12B内に圧縮空気を供給して、第２の端部から貯蔵器18に酸素を排出する複数の篩台12A,12Bの充填と、第１の端部を通じて篩台から加圧された窒素を排気する複数の篩台12A,12Bの排気とを交互に行い、充填している篩台12A,12Bから排気している篩台12A,12Bに酸素を排気オリフィス81を通じて搬送して、排気する篩台12A,12Bからの窒素の排出を促進する充填排気過程と、篩台12A,12Bから排気される窒素を制御電子装置に又は制御電子装置を横切り案内して、制御電子装置を冷却する過程とを含む。選択的に複数の弁20A,20Bを開弁し閉弁する過程は、ａ）第２の篩台12Bを排気しながら、第１の篩台12Aを充填して、第１の篩台12Aから第２の篩台12Bに排気オリフィス81を通じて酸素を搬送する過程と、ｂ）第１の篩台12Aと第２の篩台12Bとを同時に充填して、第１の篩台12Aから第２の篩台12Bに気体を搬送する過程と、ｃ）第１の篩台12Aを排気しながら、第２の篩台12Bを充填して、第２の篩台12Bから第１の篩台12Aに排気オリフィス81を通じて酸素を搬送する過程と、ｄ）過程ｃ）後に、第１の篩台12Aと第２の篩台12Bとを同時に充填して、第２の篩台12Bから第１の篩台12Aに気体を搬送する過程とを含む経時的な過程周期を有する。
本発明の実施の態様による酸素濃縮方法は、第１の端部及び第２の端部を各々有する第１の篩台12A及び第２の篩台12Bと、第１の篩台12A及び第２の篩台12Bの第２の端部に連絡する貯蔵器18と、圧縮装置14と、圧縮装置14と第１の篩台12A及び第２の篩台12Bの第１の端部との間に配置された複数の弁20A,20Bの一組とを備える携帯用装置を準備する過程と、複数の弁20A,20Bの第１の群を開弁し、第１の篩台12Aに空気を供給して、第１の篩台12Aから貯蔵器18に酸素を排出しかつ第２の篩台12Bから加圧された窒素を排気する過程と、複数の弁20A,20Bの第２の群を開弁し、第２の篩台12Bに空気を供給して、第２の篩台12Bから貯蔵器18に酸素を排出しかつ第１の篩台12Aから加圧された窒素を排気する過程と、複数の弁20A,20Bの第１の群及び第２の群を開放する間に複数の弁20A,20Bの第３の群を開弁して、第１の篩台12A及び第２の篩台12Bに同時に空気を供給する過程とを含む。複数の弁20A,20Bの第３の群は、複数の弁20A,20Bの第１の群の少なくとも１つと、複数の弁20A,20Bの第２の群の少なくとも１つとを含む。第１の時間と第２の時間との間に複数の弁20A,20Bの第１の群と第２の群とを開弁し、第１の時間と第２の時間よりも短い第３の時間の間に複数の弁20A,20Bの第３の群は開弁する。第１の時間と第２の時間は、少なくとも約４秒である。第３の時間は、約１.５秒以下である。貯蔵器18内の圧力に基づいて第１の時間と第２の時間の少なくとも一方はを調整する。貯蔵器18内の圧力が増加する程、第１の時間と第２の時間の少なくとも一方を短縮する。複数の弁20A,20Bの第３の群を開弁した後に、複数の弁20A,20Bの第１の群と第２の群とを交互に開弁する。複数の弁20A,20Bの第２の群を開弁する過程は、複数の弁20A,20Bの第１の群の少なくとも１つの弁を閉弁する過程を含む。携帯用装置は、第１の篩台12Aと第２の篩台12Bとを連絡する排気オリフィス81を備え、充填間に第１の篩台12A及び第２の篩台12Bから排出される少なくとも一部の酸素を第１の篩台12A及び第２の篩台12Bの他方に供給し、第１の篩台12A及び第２の篩台12Bの他方からの窒素の排気を促進する。貯蔵器18から使用者に酸素を供給する過程を更に含む。貯蔵器18から酸素をパルス状に供給する。使用者の吸気を検出する過程を更に含み、使用者の吸気に応答するパルス状に貯蔵器18から酸素を供給する。
【手続補正１２】
【補正対象書類名】明細書
【補正対象項目名】０１６８
【補正方法】変更
【補正の内容】
【０１６８】
【図１Ａ】携帯用酸素濃縮装置の第１の実施の形態を示す平面斜視図
【図１Ｂ】携帯用酸素濃縮装置の第１の実施の形態を示す底面斜視図
【図２】図１Ａ及び図１Ｂに示す装置の分解斜視図
【図３】図１Ａ及び図１Ｂに示す装置の概略図
【図４】図１Ａ及び図１Ｂに示す装置に設けられる例示的な篩台の断面図
【図５】図１Ａ及び図１Ｂに示す装置に設けられる圧縮装置の平面断面図
【図６】図１Ａ及び図１Ｂに示す装置の空気多岐管の一部を構成する多岐管基礎部の平面図
【図７Ａ】図６の多岐管基盤に取り付けられる多岐管蓋部の底面図
【図７Ｂ】図６の多岐管基盤に取り付けられる多岐管蓋部の平面図
【図８Ａ】図１Ａ及び図１Ｂに示す装置の酸素供給多岐管の一部を構成する多岐管基盤の上方斜視図
【図８Ｂ】図１Ａ及び図１Ｂに示す装置の酸素供給多岐管の一部を構成する多岐管基盤の下方斜視図
【図９Ａ】図１Ａ及び図１Ｂに示す装置の一部を構成する篩台蓋部の底面図
【図９Ｂ】図１Ａ及び図１Ｂに示す装置の一部を構成する篩台蓋部の側面図
【図９Ｃ】図１Ａ及び図１Ｂに示す装置の一部を構成する篩台蓋部の平面図
【図１０】例示的な平均流速に基づき、空気流が通過する通路が大きい程降下する通路内の空気流圧力を示すグラフ